(57)【要約】【課題】床などに落とし難い構造にして故障の原因を可及的になくすとともに、利便性の向上を図りかつ安価で購入意欲を掻き立てさせ得るレーザーポインタを提供する。【解決手段】レーザーダイオードユニットから照射されたレーザービームによって指示したい対象物をポイント的に照射するレーザーポインタ１を前提とし、本体キャビネット１０の下部に、この本体キャビネットを右手の人差し指に装着可能とする略半円形状の凹部１２を設ける。そして、上記レーザーポインタ本体の凹部に指を嵌入させることによって右手に装着した状態で使用するようにしている。【選択図】        図１
2005140920.tif 000002
【特許請求の範囲】
【請求項１】
レーザー照射部から照射されたレーザービームによって指示したい対象物をポイント的に照射するレーザーポインタにおいて、
レーザーポインタ本体には、このレーザーポインタ本体を手の指に装着可能とする略半円形状の凹部が設けられていて、
上記レーザーポインタ本体の凹部に指を挿入することによって手に装着された状態で使用されるようになっていることを特徴とするレーザーポインタ。
【請求項２】
上記請求項１に記載のレーザーポインタにおいて、
レーザーポインタ本体の側面には、レーザービームを照射する際に操作される照射スイッチが設けられ、この照射スイッチは、親指で操作されるようになっていることを特徴とするレーザーポインタ。
【請求項３】
上記請求項１または請求項２に記載のレーザーポインタにおいて、
レーザーポインタ本体が指に装着されたことを検出する検出部を備え、この検出部によってレーザーポインタ本体が指に装着されたことを検出した場合にのみレーザー照射部からレーザービームが照射されるようになっていることを特徴とするレーザーポインタ。
【請求項４】
上記請求項１または請求項２に記載のレーザーポインタにおいて、
レーザーポインタ本体の凹部には、レーザーポインタを指に確実に装着させるように伸縮する緩衝材が取り付けられていることを特徴とするレーザーポインタ。
【請求項５】
上記請求項１ないし請求項４のいずれか１つに記載のレーザーポインタにおいて、
レーザーポインタ本体、凹部および緩衝材には、それぞれ抗菌処理が施されていることを特徴とするレーザーポインタ。
【発明の詳細な説明】
【技術分野】
【０００１】
本発明は、会議や講演などにおいてレーザービームを指示したい対象物にポイント的に照射するために用いられるレーザーポインタに関するものである。
【背景技術】
【０００２】
従来より、この種レーザーポインタとしては、小型でかつ軽量であることが望ましく、ペンライト型に構成されたものが知られている（例えば、特許文献１参照）。
【０００３】
また、その他のレーザーポインタとしては、腕時計にレーザーポインタの機能を付加したものがある（例えば、特許文献２参照）。
【特許文献１】特開平７−１３５３６２号公報。
【特許文献２】実用新案登録第３０４４１０４号公報。
【発明の開示】
【発明が解決しようとする課題】
【０００４】
しかしながら、上記前者の如くペンライト型に構成したものでは、常に使用者がレーザーポインタを手に持つか、机上などにレーザーポインタをその都度おいたり取り上げたりする必要があり、レーザーポインタの利便性が悪く使用者が煩わしさを感じる一方、レーザーポインタを誤って床に落したりして故障の原因につながったりすることが懸念される。
【０００５】
また、上記後者の如く腕時計にレーザーポインタ機能を付加したものでは、レーザーポインタの使用時に時計機能が不要なものであるために、レーザーポインタとしての使い勝手が良いものとはいえず、価格の面でも不利なものとなって使用者の購入意欲が減退することになる。
【０００６】
本発明は、かかる点に鑑みてなされたものであり、その目的とするところは、床などに落とし難い構造にして故障の原因を可及的になくすとともに、利便性の向上を図りかつ安価で購入意欲を掻き立てさせ得るレーザーポインタを提供することにある。
【課題を解決するための手段】
【０００７】
上記目的を達成するため、本発明では、レーザー照射部から照射されたレーザービームによって指示したい対象物をポイント的に照射するレーザーポインタを前提とし、レーザーポインタ本体に、このレーザーポインタ本体を手の指に装着可能とする略半円形状の凹部を設ける。そして、上記レーザーポインタ本体の凹部に指を挿入することによって手に装着した状態で使用するようにしている。
【０００８】
この特定事項により、レーザーポインタは、そのレーザーポインタ本体の凹部に指を挿入することによって手に装着した状態で使用されるので、ペンライト型のもののように、常に使用者がレーザーポインタを手に持ったり、机上などにレーザーポインタをその都度置いたり取り上げたりする必要がなく、会議や講演中においても自由に歩きながら何処からでも自由にレーザーポインタが使用され、レーザーポインタの利便性を高めることが可能となる上、レーザーポインタを誤って床に落すこともなくなって故障の原因を可及的になくすことが可能となる。しかも、腕時計にレーザーポインタ機能を付加したもののように、不要な時計機能をなくしてレーザーポインタを単独で構成し、レーザーポインタとしての使い勝手性を向上させることが可能となる上、価格の面も安価にして使用者の購入意欲を掻き立てさせることが可能となる。
【０００９】
ここで、レーザービームを照射する際に操作される照射スイッチをレーザーポインタ本体の側面に設け、この照射スイッチを親指で操作するようにしている場合には、親指以外の指に装着したレーザーポインターの照射スイッチが親指で簡単に操作され、レーザービームを対象物に対し照射する際の操作性の向上を図ることが可能となる上、レーザービームを対象物に対し狙い通りに照射することが可能となる。
【００１０】
また、レーザーポインタ本体が指に装着されたことを検出する検出部を備え、この検出部によってレーザーポインタ本体が指に装着されたことを検出した場合にのみレーザー照射部からレーザービームを照射するようにしている場合には、指に装着しないときに誤ってレーザー照射部からレーザービームが照射されることがなく、眼に対する有害なレーザービームの誤照射を確実に防止して、安全性の向上を図ることが可能となる。
【００１１】
そして、レーザーポインタを指に確実に装着させるように伸縮する緩衝材をレーザーポインタ本体の凹部に取り付けている場合には、利用者の指に対しレーザーポインタ本体の凹部が緩衝材によって効率よく馴染んで指から非常に抜け落ちし難いものとなり、レーザーポインタの故障を効果的に防止することが可能となる。
【００１２】
更に、レーザーポインタ本体、凹部および緩衝材にそれぞれ抗菌処理を施している場合には、第三者へのレーザーポインタへの貸し出しなどによる衛生面での不安も一掃することが可能となる。
【発明の効果】
【００１３】
以上、要するに、レーザーポインタ本体の凹部に指を挿入することによってレーザーポインタを手に装着した状態で使用することで、常にレーザーポインタを手に持ったり、机上などにレーザーポインタをその都度置いたり取り上げたりする必要もなく、会議や講演中においても自由に歩きながら何処からでも自由にレーザーポインタを使用でき、レーザーポインタの利便性を高めることができる上、レーザーポインタを誤って床に落すこともなくなって故障の原因を可及的になくすことができる。しかも、レーザーポインタに不要な機能をなくして単独で構成することにより、レーザーポインタとしての使い勝手性を向上させることができる上、価格の面も安価にして使用者の購入意欲を掻き立てさせることができる。
【発明を実施するための最良の形態】
【００１４】
以下、本発明を実施するための最良の形態を図面に基づいて説明する。
【実施例１】
【００１５】
図１は本発明の実施例１に係わるレーザーポインタ１の外観斜視図、図２はレーザーポインタ１内部の概略構造を示す斜視図であって、このレーザーポインタ１は、略矩形の薄型ボックス形状のレーザーポインタ本体としての本体キャビネット１０を備えている。この本体キャビネット１０内には、その本体キャビネット１０の前面（図１では正面）中央位置に開口する照射口１０ａを介してレーザービームを前方に照射するレーザー照射部としてのレーザーダイオードユニット１１が設けられている。そして、図３に示すように、上記本体キャビネット１０の下部には、この本体キャビネット１０を手の人差し指などに装着可能とする略半円形状の凹部１２が前後方向に亘って一体的に設けられている。そして、上記レーザーポインタ１は、その本体キャビネット１０下部の凹部１２の内周面を右手の人差し指に嵌入（挿入）することによって右手に装着された状態で使用されるようになっている。
【００１６】
また、図４および図５に示すように、上記本体キャビネット１０内には、レーザーダイオードユニット１１よりレーザーを照射する際に使用者が操作する照射スイッチとしてのキースイッチユニット１３と、このキースイッチユニット１３が操作された際の入力信号をレーザーダイオードユニット１１に伝えるためのＩＣや回路部品を配したＰＣＢユニット１４と、電源となるボタンタイプのリチウム電池１５と、このリチウム電池１５からの電源をＰＣＢユニット１４に供給するための陽極電池端子(＋)１６および陰極電池端子（−）１７とを収容している。
【００１７】
上記レーザーダイオードユニット１１およびキースイッチユニット１３は、リード線１８，…によりＰＣＢユニット１４に接続され、それぞれが本体キャビネット１０および凹部１２内に形成されたリブ１９に位置を合せ、ねじ止め、強嵌合または接着剤などによって本体キャビネット１０内の前部側に固定されている。この場合、キースイッチユニット１３は、昨今各メーカーから様々な形状や種類のものが発売されており、レーザーポインタ１のデザインに合ったものが選択されて使用される。また、キースイッチユニット１３は、キャビネット本体１０一側面部（凹部１２の外周面の一側）に突出するように配されており、人差し指に装着したレーザーポインタ１（キャビネット本体１０）の一側（図３では右側）となる親指によって片手での操作を可能にしている。
【００１８】
上記リチウム電池１５は、本体キャビネット１０内の後部側に設けられた電池収納部２０に収容されている。この電池収容部２０の上方に位置する本体キャビネット１０の上面後部には、リチウム電池１５を交換する際に電池収納部２０を開放する電池蓋１０ｂが開閉自在に設けられている。そして、リチウム電池１５は、本体キャビネット１０内の電池収納部２０に挿入され、電池蓋１０ｂをリチウム電池１５の上側から押さえた状態でねじ止めなどの手段により本体キャビネット１０に固定することによって交換されるようになっている。この場合、リチウム電池１５としては、レーザーダイオードユニット１１が通常２．５Ｖ以上の電圧にて駆動するために３Ｖのものが適用されており、一般的な１．５Ｖの乾電池を２本使用するものに比べて電池収納部２０のスペースを大幅に削減することができるようになっている。
【００１９】
上記陰極電池端子１７としては、薄い板バネ形状のものが適用され、これをリチウム電池１５とＰＣＢユニット１４との間に挟んで、３者（リチウム電池１５、陰極電池端子１７、ＰＣＢユニット１４）を重ね合わせる構成とすることで、薄型省スペース化が図られている。
【００２０】
この場合、本発明のレーザーポインタ１では、本来レーザーポインタが持つべき“指示したい対象物をレーザービームでポイント的に照射する”という基本的な機能のみに特化させており、既に商品化されているレーザーポインタが有する余分な機能(液晶表示やＬＥＤサインなどの様々な付加機能)をなくし、リチウム電池１５の採用とともに必要最小限の部品で構成することによって、指に装着することができるまでに小型・軽量化が図られている。そして、図３に示すように、レーザーポインタ１を右手の人差し指に装着した状態で、レーザービームを照射したい方向にレーザーダイオードユニット１１を向け、右手の親指でキースイッチユニット１３を矢印Ａの方向から押さえて操作することで、レーザービームが矢印Ｂの方向に照射されるようになっている。
【００２１】
なお、本体キャビネット１０下部の略半円形状の凹部１２は、より指への嵌め合い感の向上と指からのレーザーポインタ１の脱落を防止する上で、１８０°以上で１８５°〜１９０゜位の範囲に設定されている。
【００２２】
したがって、上記実施例では、レーザーポインタ１は、その本体キャビネット１０下部の凹部１２に右手の人差し指を嵌入することによって右手に装着した状態で使用されるので、ペンライト型のもののように、常に使用者がレーザーポインタを手に持ったり、机上などにレーザーポインタをその都度置いたり取り上げたりする必要がなく、会議や講演中においても自由に歩きながら何処からでも自由にレーザーポインタ１の本体キャビネット１０の前面中央位置の照射口１０ａを介してレーザービームを指示したい対象物に向けてレーザーダイオードユニット１１からレーザービームが照射され、レーザーポインタ１の利便性を高めることができる上、レーザーポインタ１を誤って床に落すこともなくなって故障の原因を可及的になくすことができる。
【００２３】
しかも、腕時計にレーザーポインタ機能を付加したもののように、不要な時計機能をなくしてレーザーポインタ１が単独で構成されることになり、レーザーポインタ１としての使い勝手性を向上させることができる上、価格の面も安価にして使用者の購入意欲を掻き立てさせることができる。
【００２４】
また、レーザーポインタ１を右手の人差し指に装着した状態で、レーザービームを照射したい方向にレーザーダイオードユニット１１を向け、右手の親指でキースイッチユニット１３を押さえて操作することで、レーザービームが照射されるようになっているので、人差し指に装着したレーザーポインタ１のキースイッチユニット１３が親指で簡単に操作され、レーザービームを対象物に対し照射する際の操作性の向上を図ることができる上、レーザービームを対象物に対し狙い通りに照射することができる。
【実施例２】
【００２５】
次に、本発明の第２の実施例を図６に基づいて説明する。
【００２６】
この実施例２では、凹部の内周面側に緩衝材を付設している。なお、緩衝材を除くその他の構成は、上記実施例１の場合と同じであり、同じ部分については同一の符号を付し、その詳細な説明は省略する。
【００２７】
すなわち、本実施例では、図６に示すように、本体キャビネット１０下部の凹部１２の内周面には、レーザーポインタ１を指に確実に装着させるように自在に伸縮する断面略Ｃ字状の緩衝材３が一様に取り付けられている。この場合、緩衝材３は、その内周面側の径を小さく設定しておけば、指にレーザーポインタ１を嵌め込んだ際に、矢印方向に圧縮されることで指に隙間無く追従して指への嵌め合い感が向上し、また適度な圧力が指に与えられるようになっている。また、凹部１２は、指への嵌め合い感の向上と、指からのレーザーポインタ１の脱落を防止する上で、一般的な成人の指径より小さく設定するのが望ましいが、成人から子供、男性または女性、あるいは人差し指から小指までとより多くの指径に対処するためには緩衝材３を取り付けておくことがより効果的である。
【００２８】
上記緩衝材３としては、ＰＵ／ＰＥなどの発泡クッションが適用されている。この場合、緩衝材３の厚みを厚くすればするほど指径の変化に対応し易く、また、緩衝材３自体が比較的安価なものであるため、２〜３種類の厚みの異なる緩衝材を同梱して販売することも可能であり、使用者にとってより親切な対応となる。
【００２９】
また、レーザーポインタ本体１０、凹部１２および緩衝材３にはそれぞれ抗菌処理が施されている。
【００３０】
したがって、本実施例では、レーザーポインタ１を指に確実に装着させるように伸縮する緩衝材３をレーザーポインタ本体１０下部の凹部１２内周面に取り付けているので、利用者の指に対しレーザーポインタ本体１０の凹部１２内周面が緩衝材３によって効率よく馴染んで指から非常に抜け落ちし難いものとなり、レーザーポインタ１の指からの脱落防止に非常に効果を発揮できる上、レーザーポインタ１の落下による故障を効果的に防止することができる。
【００３１】
更に、レーザーポインタ本体１０、凹部１２および緩衝材３にそれぞれ抗菌処理が施されているので、第三者へのレーザーポインタ１への貸し出しなどによる衛生面での不安も一掃することができ、大きなセールスポイントとなり得る。
【００３２】
なお、上記実施例では、レーザーポインタ本体１０下部の凹部１２内周面に緩衝材３を取り付けたが、凹部自体の材料をＰＰなどの比較的柔軟なものを使用し、凹部の内周面が指に隙間無く追従して指への嵌め合い感が向上するようにしてもよく、レーザーポインタ１を指に確実に装着させる上で同様の効果があり、これらの手法を組み合わせていくことでより大きな効果が得られることになる。
【実施例３】
【００３３】
次に、本発明の実施例３を図７ないし図１０に基づいて説明する。
【００３４】
この実施例３では、凹部の内周面に検出部としての入力スイッチを備えている。なお、入力スイッチを除くその他の構成は、上記実施例１の場合と同じであり、同じ部分については同一の符号を付し、その詳細な説明は省略する。
【００３５】
すなわち、本実施例では、図７ないし図１０に示すように、凹部１２内の前側寄り位置には、プッシュタイプの入力スイッチユニット４がリブ１９（図９に表れる）によって位置決めされた状態で取り付けられている。この入力スイッチユニット４は、ＰＣＢユニット１４に対しリード線１８により接続されている。この入力スイッチユニット４は、先端が凹部１２内周面側に突出しかつその内周面側から外周側に押し込まれることによって入力信号を発する検出可動部４１を備えている。この検出可動部４１は、レーザーポインタ１の凹部１２を指に嵌め込んで検出可動部４１が図９に示す矢印Ｃ方向に押し込まれた場合にのみ、つまり入力スイッチユニット４によってレーザーポインタ１の凹部１２が指に装着されたことを検出した場合にのみ、キースイッチユニット１３による操作が可能となり、これによってレーザーダイオードユニット１１からレーザービームが照射されるようになっている。
【００３６】
したがって、上記実施例では、凹部１２内の前側寄り位置に設けられた入力スイッチユニット４は、凹部１２内周面側に突出する検出可動部４１の先端が外周側に押し込まれた場合、つまり入力スイッチユニット４によってレーザーポインタ１の凹部１２が指に装着されたことを検出した場合にのみ、キースイッチユニット１３による操作が可能となるようにしているので、レーザーポインタ１を指に装着しないときに誤ってレーザーダイオードユニット１１からレーザービームが照射されることがなく、眼に対する有害なレーザービームの誤照射を確実に防止して、安全性の向上を図ることができる。
【図面の簡単な説明】
【００３７】
【図１】本発明の実施例１に係わるレーザーポインタの外観斜視図である。
【図２】同じくレーザーポインタ内部の概略構成を示す斜視図である。
【図３】同じくレーザーポインタを右手の人差し指に嵌め込んだ状態を示す斜視図である。
【図４】同じくキースイッチユニット付近で切断したレーザーポインタの断面図である。
【図５】同じく図４のＩ−Ｉ線における断面図である。
【図６】本発明の実施例２に係わるレーザーポインタの外観斜視図である。
【図７】本発明の実施例３に係わるレーザーポインタの外観斜視図である。
【図８】同じくレーザーポインタ内部の概略構成を示す斜視図である。
【図９】同じくキースイッチユニット付近で切断したレーザーポインタの断面図である。
【図１０】同じく図９のＩＩ−ＩＩ線における断面図である。
【符号の説明】
【００３８】
１    レーザーポインタ
１０  本体キャビネット（レーザーポインタ本体）
１２  凹部
１１  レーザーダイオードユニット（レーザー照射部）
１３  キースイッチユニット（照射スイッチ）
３    緩衝材
４    入力スイッチ
４１  検出可動部
【図１】
2005140920.tif 000003
【図２】
2005140920.tif 000004
【図３】
2005140920.tif 000005
【図４】
2005140920.tif 000006
【図５】
2005140920.tif 000007
【図６】
2005140920.tif 000008
【図７】
2005140920.tif 000009
【図８】
2005140920.tif 000010
【図９】
2005140920.tif 000011
【図１０】
2005140920.tif 000012